(57)【要約】【課題】表示装置における送受信機の数を減らしてもマルチディスプレイ全体における表示装置の相対位置を検出することができるマルチディスプレイシステムを提供する。【解決手段】基準表示装置は、自機の位置をマルチディスプレイ全体における基準の位置として定め、当該位置に応じた配列位置情報を設定して他の表示装置に送信し、受信表示装置は、配列位置情報と設置状態情報を、自機の第１受信部または第２受信部のいずれにて受信したかに応じて、受信した配列位置情報と設置状態情報とを元に自機の配列位置情報を生成し、他の表示装置に自機の配列位置情報と設置状態情報とを自機の送信部から送信し、最終表示装置は、他の表示装置から受信する配列位置情報に基づいて、自機の配列位置情報を生成し、マルチディスプレイにおける基準表示装置から見た自機の配列に基づく配列通知を生成して他の表示装置を介して前記基準表示装置に送信する。【選択図】図１
2017161690.tif 000002
【特許請求の範囲】
【請求項１】
表示画面における対角線上における一対の頂部の一方側に第１送信部が設けられ他方側に第２送信部が設けられ、前記表示画面におけるもう一方の対角線上における一対の頂部の一方側に第１受信部が設けられ他方側に第２受信部が設けられ、表示装置の設置向きが垂直方向に対して正方向であるか反転方向であるかを検出する設置状態検出部を有する表示装置が複数台用いられ、行方向と列方向に並べて設置されるマルチディスプレイを構成するマルチディスプレイシステムであって、
前記行方向における奇数段に設置される前記表示装置は、いずれも正方向に配置され、
前記行方向における偶数段に設置される前記表示装置は、いずれも反転方向に配置され、
前記表示装置のうち位置検出開始指示が入力された第１表示装置は、
初期設定信号を前記第１送信部と第２送信部とから送信し、自機を基準表示装置として設定し、
前記第１表示装置以外の表示装置は、
前記第１受信部と第２受信部とのうち前記初期設定信号を受信した受信部がいずれであるかに基づいて、両方の受信部から受信した場合に自機を受信表示装置として設定して他の表示装置に前記初期設定信号を送信し、いずれか一方の受信部のみから受信した場合に自機を前記マルチディスプレイにおける行方向及び列方向における最終表示装置として設定し、
前記基準表示装置は、
自機の位置を前記マルチディスプレイ全体における基準の位置として定め、当該位置に応じた配列位置情報を設定して他の表示装置に送信し、
前記受信表示装置は、
他の表示装置から送信される当該他の表示装置の配列位置情報と設置状態情報を受信すると、この配列位置情報と設置状態情報を、自機の前記第１受信部または前記第２受信部のいずれにて受信したかに応じて、受信した配列位置情報と設置状態情報とを元に自機の配列位置情報を生成し、他の表示装置に自機の配列位置情報と設置状態情報とを自機の前記第１送信部または前記第２送信部から送信し、
前記最終表示装置は、
他の表示装置から送信される当該他の表示装置の配列位置情報と設置状態情報を受信すると、この配列位置情報に基づいて、自機の配列位置情報を生成し、当該自機の配列位置情報を元に、前記マルチディスプレイにおける前記基準表示装置から見た自機の配列を識別し、識別結果に基づく配列通知を生成して他の表示装置を介して前記基準表示装置に送信する
マルチディスプレイシステム。
【請求項２】
前記配列位置情報は、前記マルチディスプレイ全体に対する自機の行方向及び列方向における位置を表す情報を含む
請求項１記載のマルチディスプレイシステム。
【請求項３】
前記受信表示装置は、
前記他の表示装置から送信される当該他の表示装置の配列位置情報と設置状態情報を受信すると、前記受信した設置状態情報と自機において検出された設置状態情報とが一致するか否かを判定し、一致する場合には、前記受信した配列位置情報における行方向を同じ位置とし列方向の位置について加算して自機の列方向の位置を求めることで自機の配列位置情報として生成する
請求項１または請求項２記載のマルチディスプレイシステム。
【請求項４】
前記受信表示装置は、
自機の配列位置情報に基づいて、自機が列方向において１列目である場合には、前記受信した配列位置情報と設置位置情報とを送信した送信元の前記他の表示装置とは自機に対して列方向において反対側に配列された表示装置に対して自機の配列位置情報と設置状態情報とを送信する
請求項３記載のマルチディスプレイシステム。
【請求項５】
表示画面における対角線上における一対の頂部の一方側に第１送信部が設けられ他方側に第２送信部が設けられ、前記表示画面におけるもう一方の対角線上における一対の頂部の一方側に第１受信部が設けられ他方側に第２受信部が設けられ、表示装置の設置向きが垂直方向に対して正方向であるか反転方向であるかを検出する設置状態検出部を有する表示装置が複数台用いられ、行方向と列方向に並べて設置されるマルチディスプレイを構成するマルチディスプレイシステムにおける設置位置判定方法であって、
前記行方向における奇数段に設置される前記表示装置は、いずれも正方向に配置され、
前記行方向における偶数段に設置される前記表示装置は、いずれも反転方向に配置され、
前記表示装置のうち位置検出開始指示が入力された第１表示装置は、
初期設定信号を前記第１送信部と第２送信部とから送信し、自機を基準表示装置として設定し、
前記第１表示装置以外の表示装置は、
前記第１受信部と第２受信部とのうち前記初期設定信号を受信した受信部がいずれであるかに基づいて、両方の受信部から受信した場合に自機を受信表示装置として設定して他の表示装置に前記初期設定信号を送信し、いずれか一方の受信部のみから受信した場合に自機を前記マルチディスプレイにおける行方向及び列方向における最終表示装置として設定し、
前記基準表示装置は、
自機の位置を前記マルチディスプレイ全体における基準の位置として定め、当該位置に応じた配列位置情報を設定して他の表示装置に送信し、
前記受信表示装置は、
他の表示装置から送信される当該他の表示装置の配列位置情報と設置状態情報を受信すると、この配列位置情報と設置状態情報を、自機の前記第１受信部または前記第２受信部のいずれにて受信したかに応じて、受信した配列位置情報と設置状態情報とを元に自機の配列位置情報を生成し、他の表示装置に自機の配列位置情報と設置状態情報とを自機の前記第１送信部または前記第２送信部から送信し、
前記最終表示装置は、
他の表示装置から送信される当該他の表示装置の配列位置情報と設置状態情報を受信すると、この配列位置情報に基づいて、自機の配列位置情報を生成し、当該自機の配列位置情報を元に、前記マルチディスプレイにおける前記基準表示装置から見た自機の配列を識別し、識別結果に基づく配列通知を生成して他の表示装置を介して前記基準表示装置に送信する
設置位置判定方法。
【発明の詳細な説明】
【技術分野】
【０００１】
本発明は、マルチディスプレイシステム、設置位置判定方法に関する。
【背景技術】
【０００２】
現在、パブリックディスプレイ（以下、ＰＤ）を複数台用いてマルチディスプレイを構成し、広告やコンテンツを提供する映像ソリューションが増加している。マルチディスプレイを構成する場合、マルチディスプレイ全体に対する自機のＰＤの相対位置を自動的に判別する技術が考案されている（例えば、特許文献１参照）。
【先行技術文献】
【特許文献】
【０００３】
【特許文献１】特開平５−２４９９３２公報
【発明の概要】
【発明が解決しようとする課題】
【０００４】
しかしながら、上述の特許文献においては、ＰＤ１台で全方向の相互通信を行うことで他のＰＤとの情報共有を可能としている。この場合、ＰＤ１台あたりに必要なセンサの数は、送信機が４台、受信機が４台、送受信機の合計の数が最低でも８個必要であり、また、隣接するＰＤの有無を検出するための隣同士の検出には、上下左右にスイッチセンサが設けられるため４個必要であり、全体として合計１２個のセンサや通信機器が必要となる。センサや通信機器の数が１２個以下の数になった場合は、隣接するＰＤ同士での情報の共有は困難となる。その場合、マルチディスプレイにおいて適切な映像を表示することが難しくなる。また、ＰＤの台数が増えることに伴って、センサや通信機器の数も増大する。
【０００５】
本発明は、このような事情に鑑みてなされたもので、その目的は、表示装置における送受信機の数を減らしてもマルチディスプレイ全体における表示装置の相対位置を検出することができるマルチディスプレイシステム、設置位置判定方法を提供することにある。
【課題を解決するための手段】
【０００６】
上述した課題を解決するために、本発明は、表示画面における対角線上における一対の頂部の一方側に第１送信部が設けられ他方側に第２送信部が設けられ、前記表示画面におけるもう一方の対角線上における一対の頂部の一方側に第１受信部が設けられ他方側に第２受信部が設けられ、表示装置の設置向きが垂直方向に対して正方向であるか反転方向であるかを検出する設置状態検出部を有する表示装置が複数台用いられ、行方向と列方向に並べて設置されるマルチディスプレイを構成するマルチディスプレイシステムであって、前記行方向における奇数段に設置される前記表示装置は、いずれも正方向に配置され、前記行方向における偶数段に設置される前記表示装置は、いずれも反転方向に配置され、前記表示装置のうち位置検出開始指示が入力された第１表示装置は、初期設定信号を前記第１送信部と第２送信部とから送信し、自機を基準表示装置として設定し、前記第１表示装置以外の表示装置は、前記第１受信部と第２受信部とのうち前記初期設定信号を受信した受信部がいずれであるかに基づいて、両方の受信部から受信した場合に自機を受信表示装置として設定して他の表示装置に前記初期設定信号を送信し、いずれか一方の受信部のみから受信した場合に自機を前記マルチディスプレイにおける行方向及び列方向における最終表示装置として設定し、前記基準表示装置は、自機の位置を前記マルチディスプレイ全体における基準の位置として定め、当該位置に応じた配列位置情報を設定して他の表示装置に送信し、前記受信表示装置は、他の表示装置から送信される当該他の表示装置の配列位置情報と設置状態情報を受信すると、この配列位置情報と設置状態情報を、自機の前記第１受信部または前記第２受信部のいずれにて受信したかに応じて、受信した配列位置情報と設置状態情報とを元に自機の配列位置情報を生成し、他の表示装置に自機の配列位置情報と設置状態情報とを自機の前記第１送信部または前記第２送信部から送信し、前記最終表示装置は、他の表示装置から送信される当該他の表示装置の配列位置情報と設置状態情報を受信すると、この配列位置情報に基づいて、自機の配列位置情報を生成し、当該自機の配列位置情報を元に、前記マルチディスプレイにおける前記基準表示装置から見た自機の配列を識別し、識別結果に基づく配列通知を生成して他の表示装置を介して前記基準表示装置に送信するマルチディスプレイシステムである。
【０００７】
また、本発明は、表示画面における対角線上における一対の頂部の一方側に第１送信部が設けられ他方側に第２送信部が設けられ、前記表示画面におけるもう一方の対角線上における一対の頂部の一方側に第１受信部が設けられ他方側に第２受信部が設けられ、表示装置の設置向きが垂直方向に対して正方向であるか反転方向であるかを検出する設置状態検出部を有する表示装置が複数台用いられ、行方向と列方向に並べて設置されるマルチディスプレイを構成するマルチディスプレイシステムにおける設置位置判定方法であって、前記行方向における奇数段に設置される前記表示装置は、いずれも正方向に配置され、前記行方向における偶数段に設置される前記表示装置は、いずれも反転方向に配置され、前記表示装置のうち位置検出開始指示が入力された第１表示装置は、初期設定信号を前記第１送信部と第２送信部とから送信し、自機を基準表示装置として設定し、前記第１表示装置以外の表示装置は、前記第１受信部と第２受信部とのうち前記初期設定信号を受信した受信部がいずれであるかに基づいて、両方の受信部から受信した場合に自機を受信表示装置として設定して他の表示装置に前記初期設定信号を送信し、いずれか一方の受信部のみから受信した場合に自機を前記マルチディスプレイにおける行方向及び列方向における最終表示装置として設定し、前記基準表示装置は、自機の位置を前記マルチディスプレイ全体における基準の位置として定め、当該位置に応じた配列位置情報を設定して他の表示装置に送信し、前記受信表示装置は、他の表示装置から送信される当該他の表示装置の配列位置情報と設置状態情報を受信すると、この配列位置情報と設置状態情報を、自機の前記第１受信部または前記第２受信部のいずれにて受信したかに応じて、受信した配列位置情報と設置状態情報とを元に自機の配列位置情報を生成し、他の表示装置に自機の配列位置情報と設置状態情報とを自機の前記第１送信部または前記第２送信部から送信し、前記最終表示装置は、他の表示装置から送信される当該他の表示装置の配列位置情報と設置状態情報を受信すると、この配列位置情報に基づいて、自機の配列位置情報を生成し、当該自機の配列位置情報を元に、前記マルチディスプレイにおける前記基準表示装置から見た自機の配列を識別し、識別結果に基づく配列通知を生成して他の表示装置を介して前記基準表示装置に送信する設置位置判定方法である。
【発明の効果】
【０００８】
以上説明したように、この発明によれば、表示装置における対角線上の一対の頂部に１つずつ送信部が設けられ、もう一方の対角線上の一対の頂部に１つずつ受信部が設けられ、表示装置の設置向きが垂直方向に対して正方向であるか反転方向であるかを検出する設置状態検出部を備えた表示装置を用いて構成されるマルチディスプレイにおいて、２つの送信機及び２つの受信機によって他の表示装置と通信を行い、自機が基準表示装置、受信表示装置、最終表示装置のいずれであるかを判定する。そして、基準表示装置の配列位置を基準として受信表示装置、最終表示装置のぞれぞれが自機の配列位置を判定し、最終表示装置が、自機の配列位置に基づく配列通知を受信表示装置を介して基準表示装置に送信する。これにより、各表示装置に設けられる送信機や受信機の数を抑えつつ、各表示装置は、配列通知を元に、マルチディスプレイ全体の配列や自機の位置を認識することができる。
【図面の簡単な説明】
【０００９】
【図１】この発明の一実施形態における表示装置１０１の構成を示す概略ブロック図である。
【図２】この発明の一実施形態における表示装置の構成図を示す概略構成図である。
【図３】表示装置２０１の送信機と受信機について説明する概念図である。
【図４】表示装置２０１を複数台用いてマルチディスプレイを構成した場合を示す構成図である。
【図５】表示装置３０１から表示装置３０９の初期設定動作を示すフローチャートである。
【図６】基準表示装置として設定された表示装置の動作を説明するフローチャートである。
【図７】受信表示装置として設定された表示装置の動作を説明するフローチャートである。
【図８】最終表示装置として設定したときのフローチャートである。
【図９】第２の実施形態におけるマルチディスプレイシステムの構成を示す概略ブロック図である。
【発明を実施するための形態】
【００１０】
以下、本発明の一実施形態によるマルチディスプレイシステムについて図面を参照して説明する。
【００１１】
図１は、この発明の一実施形態における表示装置１０１の構成を示す概略ブロック図である。表示装置１０１は、制御部１０２、通信部１０３、設置状態検出部１０４を含んで構成される。
表示装置１０１において、制御部１０２は、設置状態検出部１０４の情報を取得する。取得した情報により、表示装置１０１が正方向または反転方向に設置されているかを判断する。また制御部１０２は、通信部１０３から送受信を行って情報取得し、位置認識シーケンスを実行する。位置認識シーケンスについては後述する。
【００１２】
設置状態検出部１０４は、表示装置２０１が正方向または反転方向のいずれの方向に設置されているかを検出する。正方向とは、上下方向が予め定められた向き（順方向）であり、反転方向は、上下方向が予め定められた向きとは逆方向の向き（垂直方向において逆向きの方向）である。設置状態検出部１０４は、例えば、加速度センサーや地磁気センサー等が用いられる。なお、表示装置２０１が正方向であるか反転方向であるかについては、外部から視認して識別可能となるように、例えば、表示装置２０１の裏面側に、正方向がどちらであるかを把握可能な記号、図形、文字等を用いて印字や刻印がされるか、シール等が貼られている。
【００１３】
図２は、この発明の一実施形態における表示装置の構成図を示す概略構成図である。図２（ａ）は、表示装置２０１の表面側から見た図であり、図２（ｂ）は、表示装置２０１の裏面側から見た図である。この表示装置は、パブリックディスプレイ（ＰＤ）として用いることが可能である。
表示装置２０１は、制御部２０２、設置状態検出部２０３、記録部２０４、データ送信部２０５、データ送信部２０６、データ受信部２０７、データ受信部２０８を含んで構成される。送信部２０５と送信部２０６は、表示装置２０１の四辺における対角線上であって、表示装置２０１の裏面側に配置される。送信部２０７と送信部２０８は、表示装置２０１の四辺のうち送信部２０５、送信部２０６が配置されない対角線上であって、表示装置２０１の裏面側に配置される。ここでは、表示装置２０１の表面側から見た場合、送信部２０５は表示装置２０１における右上の頂点近傍に設けられ、送信部２０６は左下の頂点近傍に設けられ、受信部２０７は右下の頂点近傍に設けられ、受信部２０８は、左上の頂点近傍に設けられる。
【００１４】
データ受信部２０５、データ受信部２０６、データ送信部２０７、データ受信部２０８は、図２（ａ）において破線で示されており、図２（ｂ）において実線で示されている。
制御部２０２は、表示装置２０１全体の制御を行う。設置状態検出部２０３は、加速度センサなどを用いて表示装置が正方向か反転方向かを検出し、制御部２０２に検出結果を示す情報を送る。記録部２０４は、制御部２０２から送られた情報を記録し、記憶された情報を、必要に応じて制御部２０２によって読み出される。データ送信部２０５、送信部２０６は、送信するためのデータを制御部２０２から受け取り、受け取ったデータを示す信号を送信する。データ受信部２０７、データ受信部２０８は、受信された信号を制御部２０２に送る。表示画面２０１ａは、表示装置２０１の表面側に設けられており、図２（ａ）において実線で示されており、図２（ｂ）において破線で示されている。
【００１５】
図３は、図２における表示装置２０１の送信機と受信機について説明する概念図である。
送信機２０５、送信機２０６は、拡散性の高い（指向性が広い）送信機である。受信機は、受信角度が広い受信機である。送信機２０５、送信機２０６、受信機２０７、受信機２０８は、表示装置２０１の内周側に壁部２０５ａ、壁部２０６ａ、壁部２０７ａ、壁部２０８ａが設けられている。壁部２０５ａ、壁部２０６ａ、壁部２０７ａ、壁部２０８ａは、略Ｌ字状の形状をしており、各送信機あるいは各受信機が設置されている面上の高さよりは垂直方向（表示装置２０１における厚み方向）に高く形成される。この壁部２０５ａ、壁部２０６ａ、壁部２０７ａ、壁部２０８ａは、自表示装置２０１に設けられた送信機から送信された信号が送信範囲よりも広い範囲に送信された場合に、自表示装置２０１の受信機で受信してしまうことを防止する。
送信範囲２０５ｂは、送信部２０５の送信可能な範囲を示し、送信範囲２０６ｂは、送信部２０６の送信可能な範囲を示す。この送信範囲２０５ｂ、送信範囲２０６ｂは、いずれも、短手方向に配置された受信部（受信部２０７あるいは受信部２０８）までは到達しない程度に設定されている。
【００１６】
図４は、上述した表示装置２０１を複数台用いてマルチディスプレイを構成した場合を示す構成図である。表示装置３０１、表示装置３０２、表示装置３０３が水平方向の１段目に並べて配置され、表示装置３０４、表示装置３０５、表示装置３０６が水平方向の２段目に並べて配置され、表示装置３０７、表示装置３０８、表示装置３０９水平方向の３段目に並べて配置され、これにより縦方向に３台、横方向に３台並ぶように、合計９台の表示装置が配置される。この表示装置３０１から表示装置３０９は、それぞれ、表示装置２０１と同様の構成を有する。
【００１７】
通信方向３１１は、表示装置３０１の送信部２０５から表示装置３０２の受信部２０８に送信される通信の方向を示す。通信方向３１２は、表示装置３０２の送信部２０６から表示装置３０１の受信部２０７に送信される通信の方向を示す。通信方向３１３は、表示装置３０２の送信部２０５から表示装置３０３の受信部２０８に送信される通信の方向を示す。通信方向３１４は、表示装置３０３の送信部２０６から表示装置３０２の受信部２０７に送信される通信の方向を示す。通信方向３１５は、表示装置３０１の送信部２０６から表示装置３０４の受信部２０７に送信される通信の方向を示す。
【００１８】
通信方向３１６は、表示装置３０４の送信部２０６から表示装置３０１の受信部２０７に送信される通信の方向を示す。通信方向３１７は、表示装置３０４の送信部２０６から表示装置３０５の受信部２０７に送信される通信の方向を示す。通信方向３１８は、表示装置３０５の送信部２０５から表示装置３０３の受信部２０８に送信される通信の方向を示す。通信方向３１９は、表示装置３０５の送信部２０６から表示装置３０６の受信部２０７に送信される通信の方向を示す。
【００１９】
通信方向３２０は、表示装置３０６の送信部２０５から表示装置３０５の受信部２０８に送信される通信の方向を示す。通信方向３２１は、表示装置３０４の送信部２０５から表示装置３０７の受信部２０８に送信される通信の方向を示す。通信方向３２２は、表示装置３０７の送信部２０５から表示装置３０４の受信部２０８に送信される通信の方向を示す。通信方向３２３は、表示装置３０７の送信部２０５から表示装置３０８の受信部２０８に送信される通信の方向を示す。
【００２０】
通信方向３２４は、表示装置３０８の送信部２０６から表示装置３０７の受信部２０７に送信される通信の方向を示す。通信方向３２５は、表示装置３０８の送信部２０５から表示装置３０９の受信部２０８に送信される通信の方向を示す。通信方向３２６は、表示装置３０９の送信部２０６から表示装置３０８の受信部２０７に送信される通信の方向を示す。通信方向３２７は、表示装置３０９の送信部２０５から表示装置３０６の受信部２０８に送信される通信の方向を示す。通信方向３２８は、表示装置３０６の送信部２０６から表示装置３０３の受信部２０７に送信される通信の方向を示す。
【００２１】
これら表示装置間の通信は、通信手段として物理的なケーブルを接続することで実現してもよいが、接続する手間を省くことも可能なように表示装置に内蔵された送受信機によって無線で通信を行うようにしてもよい。
【００２２】
この図において、各表示装置３０１から表示装置３０９の設置方法にも特徴を持たせており、図中の白い矢印の向きは表示装置の設置状態を示している。表示装置３０１から表示３０３、表示装置３０７から表示装置３０９のように奇数行の段に設置された表示装置は、正方向の状態で設置され、表示装置３０４から表示装置３０６のように偶数行の段に設置された表示装置は、反転方向の状態で設置される。
【００２３】
表示装置３０１から表示装置３０９は、同一の自動位置検出シーケンス（機能）を持っている。以下、設置状態および信号の受信状態によりフローチャートが分岐し、マルチディスプレイ全体のうち相対的にどの位置に設置されているか自動で検出し認識するための方法を図５から図８のフローチャートを用いて説明する。このフローチャートは図５から図８は、一連の流れとなっており、各表示装置に記載しているＩＤ情報（行ＩＤ，列ＩＤ）が設定される。
なお、各フローチャートは、表示装置３０１〜３０９の全ての表示装置に電源が投入された状態から開始される。
【００２４】
図５は、表示装置３０１から表示装置３０９の初期設定動作を示すフローチャートである。より具体的に、図５は、図４に示す表示装置３０１から表示装置３０９の初期設定信号（＊４）および初期設定完了信号（＊５）を使用した初期設定のフローチャートを示す。
この初期設定動作が行われることで、各表示装置は、基準表示装置、受信表示装置、最終表示装置のいずれかに設定され、図６、図７、図８のフローチャートへと分岐する。
【００２５】
また、ここで、図５から図８において用いられる名称の一部について説明する。
基準表示装置（＊１）は、マルチディスプレイとして配列された際に複数ある表示装置のうち基準となる表示装置である。受信表示装置（＊２）は、マルチディスプレイの配列における中間の表示装置である。この受信表示装置（＊２）は、マルチディスプレイにおいて、基準表示装置（＊１）でも最終表示装置（＊３）でもない表示装置であるともいえる。最終表示装置（＊３）は、マルチディスプレイ配列における横方向（行方向）および縦方向（列方向）の末端に配置される表示装置である。初期設定信号（＊４）は、表示装置の設置位置を調査するために用いられる信号である。初期設定完了信号（＊５）は、表示装置の設置位置を決定する信号である。行ＩＤ（＊６）は、横方向における各表示装置固有に取得する番号である。列ＩＤ（＊７）は、縦方向における各表示装置固有に取得する番号である。存在通知（＊８）は、送信側から横方向に表示装置が存在することを示す通知（情報）である。終端通知（＊９）は、横方向における表示装置の一番端に到達し、それ以上、横方向において表示装置が設置されていないことを示す通知（情報）である。配列通知（＊１０）は、全体の配列情報が組み込まれたデータを示す通知（情報）である。
【００２６】
図５において、まず、表示装置３０１に対してユーザーによって、自動検出開始のトリガーを送るための例えばスイッチ等の物理的な手段が押下されることで本フローチャートに沿った動作が開始する。
ステップＳ１１では、各表示装置３０１から表示装置３０９は、自動検出開始のトリガーが入力されたか否かを制御部によって判断し、トリガーがあった表示装置はステップＳ１２へ遷移し、トリガーがなかった表示装置は、ステップＳ１６へ遷移する。ステップＳ１２では、トリガーがあったと判断した表示装置は、送信部（２０５、２０６）から初期設定信号を送信し、Ｓ１３へ遷移する。ステップＳ１３では、トリガーがあったと判断した表示装置は、初期設定信号を送信したことに基づいて、自機を基準表示装置として設定し（記録部に書き込み）、ステップＳ１４へ遷移する。
【００２７】
ステップＳ１４では、トリガーがあったと判断した表示装置は、自機のデータ受信部において初期設定完了信号を他の表示装置から受信したか判断し、受信していたらステップＳ２７へ、受信していなかったらステップＳ１５へ遷移する。ステップＳ１５では、トリガーがあったと判断した表示装置は、所定時間待機し、ステップＳ１４へ遷移する。
ステップＳ１６では、トリガーがなかった表示装置は、自機のデータ受信部２０７または２０８に初期設定信号を受信したか判断し、受信していたらステップＳ１７へ、受信していなかったらステップＳ１８へ遷移する。ステップＳ１７では、トリガーがなかった表示装置は、初期設定信号をデータ送信部から送信し、ステップＳ１９へ遷移する。ステップＳ１８では、トリガーがなかった表示装置は、所定時間待機し、ステップＳ１１へ遷移する。
【００２８】
ステップＳ１９では、トリガーがなかった表示装置は、ステップＳ１６で受信したデータ受信部以外において初期設定信号を受信したか判断し、受信していたらステップＳ２０へ、受信していなかったらステップＳ２４へ遷移する。ステップＳ２０では、トリガーがなかった表示装置は、初期設定信号を受信したことで自機を受信表示装置として設定し（記録部に書き込み）、ステップＳ２１へ遷移する。ステップＳ２１では、受信表示装置として設定された表示装置は、データ受信部に初期設定完了信号を受信したか判断し、受信していたらステップＳ２３へ、受信していなかったらステップＳ２２へ遷移する。ステップＳ２２では、受信表示装置として設定された表示装置は、所定時間待機し、ステップＳ２１へ遷移する。
【００２９】
ステップＳ２３では、受信表示装置として設定された表示装置は、受信した初期設定完了信号を自機のデータ送信部から送信し、ステップＳ２７へ遷移する。
ステップＳ２４では、トリガーがなかった表示装置は、所定の時間経過したかを制御部によって判断し、経過していなければステップＳ１９へ、経過したらステップＳ２５へ遷移する。ステップＳ２５では、トリガーがなかった表示装置は、初期設定完了信号を自機のデータ送信部から送信し、ステップＳ２６へ遷移する。ステップＳ２６では、トリガーがなかった表示装置は、初期設定完了信号を送信したことで自機を最終表示装置として設定し（記録部に書き込み）、Ｓ２７へ遷移する。ステップＳ２７では、各表示部は、基準表示装置、受信表示装置、最終表示装置、のうちいずれに設定されたかに応じて、対応するフローチャートへと遷移し、このフローは終了処理へと遷移する。
【００３０】
図６は、表示装置３０１のように基準表示装置（＊１）として設定された表示装置の動作を説明するフローチャートである。より具体的に、図６は、マルチディスプレイ全体における相対位置が図４における表示装置３０１に示す位置に設置された表示装置（２０１）の自動位置検出フローチャートであり、図５において基準表示装置（＊１）として設定された表示装置が遷移するフローチャートである。
【００３１】
基準表示装置として設定された表示装置は、自機のＩＤ情報を、行ＩＤ（＊５）＝１、列ＩＤ（＊６）＝１として設定し、以下のステップを実行する。ステップＳ３１では、制御部２０２は、データ送信部２０５から自機のＩＤ情報（行ＩＤ＝１、列ＩＤ＝１）と設置状態（正方向）を送信し、ステップＳ３２へ遷移する。ステップＳ３２では、データ受信部２０７に存在通知（＊８）の受信があったか否かを判断する。これは、表示装置が図４のように縦方向と横方向に複数台となるように設置されておらず横１列または縦１列で設置されていた場合も想定する。そのため存在通知があればステップＳ３３へ、無ければステップＳ３５へ遷移する。
【００３２】
ステップＳ３３では、制御部２０２は、データ受信部２０７に終端通知受信（＊９）があったか否か判断し、あればステップＳ３６へ、無ければステップＳ３４へ遷移する。ステップＳ３４では、制御部２０２は、所定時間待機し、ステップＳ３３へ遷移する。ステップＳ３５では、制御部２０２は、所定の時間経過したか判断し、経過していたらステップＳ３６へ、経過していなかったらステップＳ３２へ遷移する。ステップＳ３６では、制御部２０２は、データ送信部２０６からＩＤ情報と設置状態を送信し、ステップＳ３７へ遷移する。ステップＳ３７では、制御部２０２は、所定時間待機し、ステップＳ３８へ遷移する。ステップＳ３８では、制御部２０２は、データ受信部２０７に受信した信号が配列通知（＊１０）であるか否かを判断し、配列通知であればステップＳ４０へ、配列通知以外であればステップＳ３９へ遷移する。
【００３３】
ステップＳ３９では、制御部２０２は、配列通知以外の信号は破棄し、ステップＳ３７へ遷移する。これは、既に自機を基準表示装置として設定しているため、ＩＤ情報の信号を処理すると自動位置検出が正常に動作できなくなるためである。ステップＳ４０では、制御部２０２は、配列通知から全体の配列を認識し、終了処理へと遷移する。
【００３４】
図７は、表示装置３０２から表示装置３０８のように受信表示装置（＊２）として設定された表示装置の動作を説明するフローチャートである。より具体的に、図７は、マルチディスプレイ全体に対する相対位置が図４における表示装置３０２から表示装置３０８のいずれかに示す位置に設置された表示装置（２０１）の自動位置検出方法であり、図５における受信表示装置（＊２）として設定された表示装置が遷移するフローチャートである。
【００３５】
ステップＳ４１では、受信表示装置として設定された表示装置（２０１）の制御部２０２は、データ受信部２０８からＩＤ情報と設置状態を表す情報を受信したか否かを判断し、受信していたらステップＳ４２へ、受信していなかったらステップＳ５７へ遷移する。ステップＳ４２では、制御部２０２は、受信した設置状態を表す情報と自機の設置状態を比較し、一致していたらステップＳ４３へ、一致していなかったらステップＳ４５へ遷移する。ステップＳ４３では、制御部２０２は、存在通知をデータ送信部２０６から送信し、ステップＳ４４へ遷移する。ステップＳ４４では、制御部２０２は、受信したＩＤ情報の列ＩＤに１を加算し、自機のＩＤ情報（行ＩＤ＝受信した行ＩＤ、列ＩＤ＝受信した列ＩＤ＋１）として設定し、ステップＳ４６へ遷移する。ステップＳ４５では、制御部２０２は、受信したＩＤ情報の行ＩＤに１を加算し、自機のＩＤ情報（行ＩＤ＝受信した行ＩＤ＋１、列ＩＤ＝受信した列ＩＤ）として設定し、ステップＳ４６へ遷移する。ステップＳ４６では、制御部２０２は、自機のＩＤ情報と設置状態をデータ送信部２０５から送信し、ステップＳ４７へ遷移する。ステップＳ４７では、制御部２０２は、所定時間待機し、ステップＳ４８へ遷移する。
【００３６】
ステップＳ４８では、制御部２０２は、データ受信部２０７から存在通知を受信したか判断し、受信していたらステップＳ４９へ、受信していなかったらステップＳ５１へ遷移する。ステップＳ４９では、制御部２０２は、所定時間待機し、ステップＳ５０へ遷移する。ステップＳ５０では、制御部２０２は、データ受信部２０７から終端通知を受信したか判断し、受信していたらステップＳ５２へ、受信していなかったらステップＳ４９へ遷移する。ステップＳ５１では、制御部２０２は、データ送信部２０６から終端通知を送信し、ステップＳ５２へ遷移する。ステップＳ５２では、制御部２０２は、自機の列ＩＤ情報が１以外か否かを判断し、１以外であればステップＳ５４へ、１だったらステップＳ５３へ遷移する。ステップＳ５３では、制御部２０２は、送信部２０６から自機のＩＤ情報と設置状態を送信し、ステップＳ５４へ遷移する。ステップＳ５４では、制御部２０２は、所定時間待機し、ステップＳ５５へ遷移する。ステップＳ５５では、制御部２０２は、データ受信部２０７から配列通知を受信したか判断し、受信していたらステップＳ５６へ、受信していなかったらステップＳ５４へ遷移する。ステップＳ５６では、制御部２０２は、配列通知を基にマルチディスプレイ全体の配列を認識し、ステップＳ７３へ遷移する。
【００３７】
ステップＳ５７では、制御部２０２は、データ受信部２０７からＩＤ情報と設置状態を表す情報を受信したか判断し、受信していたらステップＳ５８へ、受信していなかったらステップＳ７２へ遷移する。ステップＳ５８では、制御部２０２は、受信した設置状態を表す情報と自機の設置状態を比較し、一致していたらステップＳ５９へ、一致していなかったらステップＳ６１へ遷移する。ステップＳ５９では、制御部２０２は、存在通知をデータ送信部２０５から送信し、ステップＳ６０へ遷移する。ステップＳ６０では、制御部２０２は、受信したＩＤ情報の列ＩＤに１を加算し、自機のＩＤ情報（行ＩＤ＝受信した行ＩＤ、列ＩＤ＝受信した列ＩＤ＋１）として設定し、Ｓ６２へ遷移する。
【００３８】
ステップＳ６１では、制御部２０２は、受信したＩＤ情報の行ＩＤに１を加算し、自機のＩＤ情報（行ＩＤ＝受信した行ＩＤ＋１、列ＩＤ＝受信した列ＩＤ）として設定し、Ｓ６２へ遷移する。ステップＳ６２では、制御部２０２は、自機のＩＤ情報と設置状態を表す情報をデータ送信部２０５から送信し、ステップＳ６３へ遷移する。ステップＳ６３では、制御部２０２は、所定時間待機し、ステップＳ６４へ遷移する。ステップＳ６４では、制御部２０２は、データ受信部２０８から存在通知を受信したか判断し、受信していたらステップＳ６５へ、受信していなかったらステップＳ６７へ遷移する。ステップＳ６５では、制御部２０２は、所定時間待機し、ステップＳ６６へ遷移する。ステップＳ６６では、制御部２０２は、データ受信部２０８から終端通知を受信したか判断し、受信していたらステップＳ６８へ、受信していなかったらステップＳ６５へ遷移する。
【００３９】
ステップＳ６７では、制御部２０２は、データ送信部２０５から終端通知を送信し、ステップＳ６８へ遷移する。ステップＳ６８では、制御部２０２は、自機の列ＩＤ情報が１以外であるか否かを判断し、１以外であればステップＳ７０へ、１だったらステップＳ６９へ遷移する。ステップＳ６９では、制御部２０２は、送信部２０６から自機のＩＤ情報と設置状態を示す情報を送信し、ステップＳ７０へ遷移する。ステップＳ７０では、制御部２０２は、所定時間待機しステップＳ７１へ遷移する。ステップＳ７１では、制御部２０２は、データ受信部２０８から配列通知を受信したか否かを判断し、受信していたらステップＳ５６へ、受信していなかったらステップＳ７０へ遷移する。ステップＳ７２では、制御部２０２は、所定時間待機しステップＳ４１へ遷移する。
【００４０】
ステップＳ７３では、制御部２０２は、データ送信部２０５とデータ送信部２０６から配列通知を送信し、終了処理へ遷移する。ここで注意点として、ステップＳ４１およびステップＳ４２のＩＤ情報と設置状態を表す情報を受信したか待機しているときに存在通知や終端通知を受信しても、その信号は破棄する。これは自機のＩＤ情報が決定していないため、存在通知や終端通知を処理すると自動位置検出が正常に動作しなくなるためである。また、ステップＳ５５およびステップＳ７１の配列通知を受信したか待機しているときにＩＤ情報と設置状態を表す情報を受信した場合も同様に破棄する。これは、自機のＩＤが確定しているためＩＤ情報と設置状態を表す情報を処理すると自機のＩＤ情報が書き換わってしまい自動位置検出に問題が発生するためである。
【００４１】
図８は、表示装置３０９のように最終表示装置（＊３）として設定したときのフローチャートである。より具体的に、図８は、マルチディスプレイ全体に対する相対位置が図４における表示装置３０９の位置に設置された表示装置（２０１）の自動位置検出方法であり、図５における最終表示装置（＊３）として設定した表示装置が遷移するフローチャートである。ステップＳ８１では、制御部２０２は、データ受信部２０８からＩＤ情報と設置状態を表す情報とを受信したか判断し、受信していたらステップＳ８２へ、受信していなければステップＳ８３へ遷移する。ステップＳ８２では、制御部２０２は、存在通知をデータ送信部２０６から送信し、ステップＳ８６へ遷移する。
【００４２】
ステップＳ８３では、制御部２０２は、データ受信部２０７からＩＤ情報と設置状態を示す情報とを受信したか判断し、受信していたらステップＳ８４へ、受信していなければステップＳ８５へ遷移する。ステップＳ８４では、制御部２０２は、存在通知をデータ送信部２０５から送信し、ステップＳ８６へ遷移する。ステップＳ８５では、制御部２０２は、所定時間待機しＳ８１へ遷移する。ステップＳ８６では、制御部２０２は、受信したＩＤ情報の列ＩＤに１を加算し、自機のＩＤ情報（行ＩＤ＝受信した行ＩＤ、列ＩＤ＝受信した列ＩＤ＋１）として設定し、ステップＳ８７へ遷移する。ステップＳ８７では、制御部２０２は、ＩＤ情報を基に全体の配列を認識し、ステップＳ８８へ遷移する。ステップＳ８８では、制御部２０２は、配列通知を生成し、Ｓ８９へ遷移する。ステップＳ８９では、制御部２０２は、配列通知をデータ送信部２０５とデータ送信部２０６から送信し、終了処理へと遷移する。
【００４３】
以上説明した実施形態によれば、画像表示装置（表示装置）におけるマルチディスプレイを使用する場合に、各表示装置は、マルチディスプレイが構成されて電源が投入されることで、マルチディスプレイ全体の配置とマルチディスプレイ全体における自機の位置を自動で検出することができる。そして、マルチディスプレイ全体の配置と自機の位置とを元に、マルチディスプレイ上に、適切に映像信号を表示させることができる。
【００４４】
図９は、第２の実施形態におけるマルチディスプレイシステムの構成を示す概略ブロック図である。
マルチディスプレイシステム１Ａは、表示画面における対角線上における一対の頂部の一方側に送信部２０５Ａが設けられ他方側に送信部２０６Ａが設けられ、表示画面におけるもう一方の対角線上における一対の頂部の一方側に受信部２０８が設けられ他方側に受信部２０７が設けられ、表示装置３０１Ａの設置向きが垂直方向に対して正方向であるか反転方向であるかを検出する設置状態検出部１０４Ａを有する表示装置（３０１Ａ、・・・、３０１Ａｎ、・・・、３０１Ａｍ、・・・・３０１Ａｎｍ）が複数台用いられ、行方向と列方向に並べて設置され、マルチディスプレイを構成する。行方向と列方向の数は一致していても異なっていてもよい。
マルチディスプレイシステム１Ａにおいて、行方向における奇数段に設置される表示装置は、いずれも正方向に配置され、行方向における偶数段に設置される表示装置は、いずれも反転方向に配置される。
【００４５】
これら表示装置のうち、第１表示装置は、位置検出開始指示が入力され、初期設定信号を送信部２０５Ａと送信部２０６Ａとから送信し、自機を基準表示装置として設定する。
第１の表示装置以外の表示装置は、受信部２０７Ａと受信部２０８Ａとのうち初期設定信号を受信した受信部がいずれであるかに基づいて、両方の受信部から受信した場合に自機を受信表示装置として設定して他の表示装置に初期設定信号を送信し、いずれか一方の受信部のみから受信した場合に自機をマルチディスプレイにおける行方向及び列方向における最終表示装置として設定する。
【００４６】
基準表示装置は、自機の位置をマルチディスプレイ全体における基準の位置として定め、当該位置に応じた配列位置情報を設定して他の表示装置に送信し、第受信表示装置は、他の表示装置から送信される当該他の表示装置の配列位置情報と設置状態情報を受信すると、この配列位置情報と設置状態情報を、自機の受信部２０７Ａまたは受信部２０８Ａのいずれにて受信したかに応じて、受信した配列位置情報と設置状態情報とを元に自機の配列位置情報を生成し、他の表示装置に自機の配列位置情報と設置状態情報とを自機の送信部２０５Ａまたは送信部２０６Ａから送信する。
【００４７】
最終表示装置は、他の表示装置から送信される当該他の表示装置の配列位置情報と設置状態情報を受信すると、この配列位置情報に基づいて、自機の配列位置情報を生成し、当該自機の配列位置情報を元に、マルチディスプレイにおける基準表示装置から見た自機の配列を識別し、識別結果に基づく配列通知を生成して他の表示装置を介して基準表示装置に送信する。
【００４８】
上述した実施形態におけるマルチディスプレイシステムを構成する表示装置の機能を、コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００４９】
以上、この発明の実施形態について図面を参照して詳述してきたが、具体的な構成はこの実施形態に限られるものではなく、この発明の要旨を逸脱しない範囲の設計等も含まれる。
【符号の説明】
【００５０】
１０１、２０１、３０１、３０２、３０３、３０４、３０５、３０６、３０７、３０８、３０９、３０１Ａ、３０１Ａｎ、３０１Ａｍ、３０１Ａｎｍ  表示装置
１０２、２０２  制御部
１０３  通信部
１０４  設置状態検出部
２０１ａ  表示画面
２０３  設置状態検出部
２０４  記録部
２０５、２０６、２０５Ａ、２０６Ａ  送信部
２０７、２０８、２０７Ａ、２０８Ａ  受信部
【図１】
2017161690.tif 000003
【図２】
2017161690.tif 000004
【図３】
2017161690.tif 000005
【図４】
2017161690.tif 000006
【図５】
2017161690.tif 000007
【図６】
2017161690.tif 000008
【図７】
2017161690.tif 000009
【図８】
2017161690.tif 000010
【図９】
2017161690.tif 000011